(57)【要約】【課題】メカニカルダンピングを増加させる板バネを有する振動モータを提供する。【解決手段】振動モータは、収納空間が設けられる筐体と、当該収納空間内に収納される振動子と、振動子を前記筐体上に支持する板バネとを備え、そのうち、板バネは複数の弾性部材を貼り合わせることにより形成される。隣接する二つの弾性部材の間にはダンピング材が設けられる。板バネはその内部にメカニカルダンピングを増加させる材料を添加することにより、振動子の周波数帯域幅を向上させ、製品性能の信頼性の向上に有利である。【選択図】図４
2017006901.tif 000002
【特許請求の範囲】
【請求項１】
ハウジングと、ハウジングに収納される振動子と、振動子をハウジングに弾性支持する板バネとを備える振動モータであって、前記板バネには弾性体、及び弾性体内に配置されるダンピング材が設けられる、ことを特徴とする、振動モータ。
【請求項２】
前記弾性体は第１の弾性体と、当該第１の弾性体と貼り合わせる第２の弾性体とを含み、前記第１の弾性体と第２の弾性体との間に当該ダンピング材が挟まれる、ことを特徴とする、請求項１に記載の振動モータ。
【請求項３】
前記弾性体は中空構造であり、その中に当該ダンピング材が充填される、ことを特徴とする、請求項１に記載の振動モータ。
【請求項４】
前記板バネには、前記振動子に接続して固定される第１の位置決め部と、ハウジングに接続される第２の位置決め部と、前記第１の位置決め部と第２の位置決め部を接続する弾性部とが設けられる、ことを特徴とする、請求項１〜３のいずれか１項に記載の振動モータ。
【請求項５】
前記弾性部は平板部及び当該平板部に接続される弾性の湾曲部を含む、ことを特徴とする、請求項４に記載の振動モータ。
【請求項６】
前記ダンピング材は前記湾曲部に設置される、ことを特徴とする、請求項５に記載の振動モータ。
【請求項７】
前記ダンピング材はグリュー、フォーム、両面テープ又はシリカゲルである、ことを特徴とする、請求項１に記載の振動モータ。
【発明の詳細な説明】
【技術分野】
【０００１】
本発明は振動モータに関し、具体的には、板バネが設けられる振動モータに関する。
【背景技術】
【０００２】
振動モータは電磁力の発生原理により、電気エネルギーを機械的エネルギーに変換させる装置である。無音の受信信号が発生するように、振動モータは一般的に携帯電話等に取り付けられ、これにより、外部音声による他人への迷惑を防止する。振動モータは主に回転振動モータと直線振動モータとに分けられる。そのうち、回転振動モータの場合は、重量がアンバランスであるロータが回転するため、機械的振動が発生する。また、直線振動モータの場合は、モータが電磁力により振動し直線に駆動するため、機械的振動が発生する。当該電磁力はばねとばねに掛けている振動子を用いることにより確定される共振周波数を有する。
【０００３】
図１に示すように、出願番号が「２０１３２０７８０８５０．９」である中国特許にはリニア振動モータに用いられるばね８´が開示されており、当該ばね８´は振動ブロックに接続されている第１の接続部８１´と、筐体に接続されている第２の接続部８２´と、第１の接続部８１´と第２の接続部８２´とを接続する中間接続部８３´とを含み、第１の接続部８１´、第２の接続部８２´及び中間接続部８３´は開口溝８４´を形成し、そのうち、第１の接続部８１´と中間接続部８３´は第１の遷移円弧８５´により接続され、第２の接続部８２´と中間接続部８３´は第２の遷移円弧８６´により接続される。
【発明の概要】
【発明が解決しようとする課題】
【０００４】
このようなリニア振動モータにおいては、モータが振動する際に、ばねは振動ブロックに復元力を供給する。抵抗力の影響により、振動ブロックの振幅が影響される。これは、磁気回路システムの筐体内における振幅の効果を深刻に影響し、さらに周波数帯域の幅も影響するため、製品の信頼性が低下する。従って、新たな構造の板バネを有する振動モータを研究する必要がある。
【０００５】
本発明はメカニカルダンピングを増加させる板バネを有する振動モータを提供することを目的とする。
【課題を解決するための手段】
【０００６】
本発明に係る振動モータは、ハウジングと、ハウジングに収納される振動子と、振動子をハウジングに弾性支持する板バネとを備え、そのうち、板バネには弾性体、及び弾性体内に設置されるダンピング材が設けられる。
【０００７】
本発明のさらなる改良として、弾性体は第１の弾性体と、当該第１の弾性体と貼り合わせる第２の弾性体とを含み、第１の弾性体と第２の弾性体との間に当該ダンピング材が挟まれる。
【０００８】
本発明のさらなる改良として、弾性体は中空構造であり、その中に当該ダンピング材が充填される。
【０００９】
本発明のさらなる改良として、板バネには、振動子に接続して固定される第１の位置決め部と、ハウジングに接続される第２の位置決め部と、第１の位置決め部と第２の位置決め部を接続する弾性部とが設けられる。
【００１０】
本発明のさらなる改良として、弾性部は平板部及び当該平板部に接続される弾性の湾曲部を含む。
【００１１】
本発明のさらなる改良として、ダンピング材は上述した湾曲部に設置される。
【００１２】
本発明のさらなる改良として、ダンピング材はグリュー、フォーム、両面テープ又はシリカゲルである。
【発明の効果】
【００１３】
本発明に係る板バネ及び本発明に係る振動モータに用いられる板バネは、ダンピング材を１層増やすことにより板バネのメカニカルダンピングを向上させ、モータが振動する際、振動ブロックの振幅が増加されることにより、周波数帯域の幅を増加させ、製品性能の信頼性の向上に有利である。
【図面の簡単な説明】
【００１４】
【図１】本発明の関連技術に開示される板バネの斜視模式図である。
【図２】本発明の第１の実施形態に係る振動モータの分解斜視を示す模式図である。
【図３】本発明の第１の実施形態に係る振動モータにおける立体部分モジュールの平面視を示す模式図である。
【図４】本発明の第１の実施形態における板バネの斜視模式図である。
【図５】本発明の第２の実施形態における板バネの模式図である。
【図６】本発明の第３の実施形態における板バネの模式図である。
【発明を実施するための形態】
【００１５】
以下、図２〜図６を実施形態と組み合わせることにより、本発明について更に説明する。
【００１６】
図２〜図３に示すように、本実施形態に係る振動モータ１００は、収納空間１１０が設けられる筐体１と、当該収納空間１１０内に収納される振動子４、コイル３、配線板２と、振動子４を筐体１に支持する板バネ５とを備える。筐体１はハウジング１１と、ハウジング１１に蓋合する蓋板１０とを含み、ハウジング１１は振動モータ１００の振動方向に平行な第１の側壁１１１と、振動モータ１００の振動方向に垂直な第２の側壁１１２とを有する。本実施形態において、電気信号の入力を実現するように、コイル３は蓋板１０上の配線板２に配置され、外部回路（図示せず）に接続される。
【００１７】
振動子４は筐体１の収納空間１１０内に収納され、それは質量ブロック４１と永久磁石４２とを含む。質量ブロック４１には複数のキャビティが設けられ、各キャビティ内に永久磁石４２が取り付けられている。本実施形態に係る振動モータ１００には質量ブロック４１に貼り付けられるポールピース６が更に設けられる。板バネ５によって質量ブロック４１は収納空間１１０内にサスペンション支持され、永久磁石４２はコイル３と隙間を隔て正対する。
【００１８】
図４に示すように、板バネ５は質量ブロック４１に接続される第１の位置決め部５１と、ハウジング１１の第１の側壁１１１に接続される第２の位置決め部５２と、第１の位置決め部５１と第２の位置決め部５２とを接続する弾性部５３とを備え、そのうち、弾性部５３は平板部５３１と湾曲部５３２とを含む。
【００１９】
（第１の実施形態）
図４に示すように、本実施形態において、板バネ５は複数の弾性部材を貼り合わせることにより形成され、隣接する二つの弾性部材の間にダンピング材が設けられる。弾性部材が二つである場合に、当該二つの弾性部材を第１の弾性部材５５と、当該第１の弾性部材５５に貼り合わせた第２の弾性部材５６とする。第１の弾性部材５５は第２の弾性部材５６と形状が同じであり、板バネ５は二つの弾性部材が積み重ねることにより形成されると理解してもよい。第１の弾性部材５５における第２の弾性部材５６に貼り合わせる面を第１の貼り合せ面５５１とし、第２の弾性部材５６上における第１の弾性部材５５に貼り合わせる面を第２の貼り合せ面５６１とする。そのうち、第１の貼り合せ面５５１と第２の貼り合せ面５６１との間にダンピング材５７が設けられる。当該ダンピング材５７はグリュー、フォーム、両面テープ、シリカゲル等であってよい。
【００２０】
（第２の実施形態）
図５に示すように、本実施形態において、板バネ５´は中空の弾性ホルダ５５´である。当該弾性ホルダ５５´の中空内にはダンピング材５７´が取り付けられている。当該ダンピング材５７´はグリュー、フォーム、両面テープ、シリカゲル等であってよい。弾性ホルダ５５´には質量ブロック４１に接続される第１の位置決め部５１´と、ハウジング１１の第１の側壁１１１に接続される第２の位置決め部５２´とを含み、弾性部５３´は中空にされ、そして、当該弾性部５３´の中空内にはダンピング材５７´が取り付けられている。そのうち、弾性部５３´は平板部５３１´と湾曲部５３２´とを含む。
【００２１】
（第３の実施形態）
図６に示すように、本実施形態において、板バネ５´は中空の弾性ホルダ５５´であり、弾性ホルダ５５´は質量ブロック４１に接続される第１の位置決め部５１´と、ハウジング１１の第１の側壁１１１に接続される第２の位置決め部５２´とを含み、弾性部５３´は中空にされ、且つ、当該弾性部５３´の中空内にダンピング材５７´が取り付けられている。当該ダンピング材５７´はグリュー、フォーム、両面テープ、シリカゲル等であってよい。そのうち、弾性部５３´は平板部５３１´と湾曲部５３２´とを含み、湾曲部５３２´と平板部５３１´は中空にされ、且つ、当該湾曲部５３２´と平板部５３１´の中空内にダンピング材５７´が取り付けられている。当該板バネ５´の弾性ホルダ５５´における応力の多い部位は中空にされ、当該部位の中空内にダンピング材５７´が取り付けられる、と理解してもよい。
【００２２】
振動モータ１００が作動するとき、配線板２によって永久磁石４２の上方に位置するコイル３に通電することにより、磁界が発生し、永久磁石４２が力を受けるようにする。電流の方向が時間に従って変化するため、永久磁石４２の力受け方向も変化する。従って、振動子４は板バネ５の支持で往復運動する。振動子４は高周波の往復運動が必要であり、板バネ５が弾性力を提供する際にダンピングが重要な役割を果たすため、本発明に係る板バネ５はその内部にメカニカルダンピングを増加させる材料を添加することにより、振動子４の周波数帯域幅を向上させる。
【００２３】
以上の説明は本発明の実施形態に過ぎない。ここで明記すべきことは、当業者にとって、本発明の主旨を逸脱しない範囲で改良することもできる。但し、これらも本発明の保護範囲に属している。
【符号の説明】
【００２４】
１  筐体
２  配線板
３  コイル
４  振動子
５、５´  板バネ
６  ポールピース
１０  蓋板
１１  ハウジング
４１  質量ブロック
４２  永久磁石
５１、５１´  第１の位置決め部
５２、５２´  第２の位置決め部
５３、５３´  弾性部
５５  第１の弾性部材
５５´  弾性ホルダ
５６  第２の弾性部材
５７、５７´  ダンピング材
１００  振動モータ
１１０  収納空間
１１１  第１の側壁
１１２  第２の側壁
５３１、５３１´  平板部
５３２、５３２´  湾曲部
５５１  第１の貼り合せ面
５６１  第２の貼り合せ面
【図１】
2017006901.tif 000003
【図２】
2017006901.tif 000004
【図３】
2017006901.tif 000005
【図４】
2017006901.tif 000006
【図５】
2017006901.tif 000007
【図６】
2017006901.tif 000008